(57)【要約】【課題】遊技領域の拡大化のため表示装置、センター役物及び可動式役物装置が大型化した場合であっても、遊技盤の取り扱いが容易になるような遊技盤ユニットを提供すること。【解決手段】遊技盤ユニット１００は、遊技盤裏側保護ケース部材３００に、手の指が数本入る取手孔１８を備え、取手孔１８に手の指を数本入れて当該遊技盤ユニット１００を持ち上げ可能にすると共に、各種部品及び部材に対して取手孔１８に挿入した指が接触するのを防止する保護カバー部１９をセンター部材７に設けてなる。【選択図】図１
2006346265.tif 000002
【特許請求の範囲】
【請求項１】
遊技盤本体の前面部に遊技領域を構成する各種遊技部品を取り付けるとともに、前記遊技盤本体の裏面部に各種部品及び部材を取り付けて構成される遊技盤と、前記各種部品及び部材を覆うようにして前記遊技盤本体の裏面部に取着される遊技盤裏面側保護ケース部材とからなる遊技盤ユニットにおいて、
前記遊技盤裏側保護ケース部材に、手の指が数本入る取手孔を設け、該取手孔に手の指を数本入れて当該遊技盤ユニットを持ち上げ可能にするよう構成したことを特徴とする遊技盤ユニット。
【請求項２】
遊技盤本体の前面部に遊技領域を構成する各種遊技部品を取り付けるとともに、前記遊技盤本体の裏面部に各種部品及び部材を取り付けて構成される遊技盤と、前記各種部品及び部材を覆うようにして前記遊技盤本体の裏面部に取着される遊技盤裏面側保護ケース部材とからなる遊技盤ユニットにおいて、
前記遊技盤裏側保護ケース部材に、手の指が数本入る取手孔を設け、該取手孔に手の指を数本入れて当該遊技盤ユニットを持ち上げ可能にすると共に、前記各種部品及び部材に対して前記取手孔に挿入した指が接触するのを防止する保護カバー部を前記各種部品及び部材側に設けたことを特徴とする遊技盤ユニット。
【請求項３】
遊技盤本体の前面部に遊技領域を構成する各種遊技部品を取り付けるとともに、前記遊技盤本体の裏面部に図柄表示装置を支持するセンター部材を取り付け、かつ、前記遊技盤本体の裏面部に各種部品及び部材を取り付けて構成される遊技盤と、前記センター部材並びに前記各種部品及び部材を覆うようにして前記遊技盤本体の裏面部に取着される遊技盤裏面側保護ケース部材とからなる遊技盤ユニットにおいて、
前記遊技盤裏側保護ケース部材に、手の指が数本入る取手孔を設け、該取手孔に手の指を数本入れて当該遊技盤ユニットを持ち上げ可能にすると共に、前記各種部品及び部材に対して前記取手孔に挿入した指が接触するのを防止する保護カバー部を前記センター部材に設けたことを特徴とする遊技盤ユニット。
【発明の詳細な説明】
【技術分野】
【０００１】
本発明は、パチンコ遊技機の遊技盤ユニットに関する。
【背景技術】
【０００２】
近年、パチンコ遊技機は、視認し易い遊技機を作るために遊技盤の遊技領域を拡大化する傾向があり、そのための手法として、液晶等の表示装置の大型化、センター役物及び可動式役物装置の大型化を図る傾向がある。その結果、遊技盤及びそれに付随する制御装置の重量が増大化し、このため、遊技盤を容易に取り扱えるようにするための工夫が必要となっている。
【０００３】
特許文献１には、遊技盤本体の所定部位であって、遊技盤を遊技機に取り付けたときに前面側から視認できない部位に、手の指が数本入る取手孔を設け、この取手孔に指を入れて遊技盤を持ち上げ運ぶことができるようにしたパチンコ遊技機が開示されている。
【特許文献１】特開２００２−１６６００９公報
【発明の開示】
【発明が解決しようとする課題】
【０００４】
しかし、上記のように遊技盤本体に取手孔を設けたパチンコ遊技機においては、表示装置の大型化、センター役物及び可動式役物装置の大型化に伴い、遊技盤本体に取手孔を設ける場所が無くなると、遊技盤の取り扱いが困難になる。
【０００５】
本発明は、上記のような従来技術の問題点を解決し、遊技領域の拡大化のため表示装置、センター役物及び可動式役物装置が大型化した場合であっても、遊技盤の取り扱いが容易になるような遊技盤ユニットを提供することを目的とする。
【課題を解決するための手段】
【０００６】
本発明の遊技盤ユニットは、遊技盤本体の前面部に遊技領域を構成する各種遊技部品を取り付けるとともに、前記遊技盤本体の裏面部に各種部品及び部材を取り付けて構成される遊技盤と、前記各種部品及び部材を覆うようにして前記遊技盤本体の裏面部に取着される遊技盤裏面側保護ケース部材とからなる遊技盤ユニットにおいて、前記遊技盤裏側保護ケース部材に、手の指が数本入る取手孔を設け、該取手孔に手の指を数本入れて当該遊技盤ユニットを持ち上げ可能にするよう構成したことを特徴とする。
【０００７】
本発明によると、遊技盤本体の裏面部に取着される遊技盤裏面側保護ケース部材に取手孔を設けるようにしたため、遊技領域の拡大化に伴い遊技盤本体に取手孔を設ける場所が無くなっても、取手孔を確保できるようになり、遊技盤ユニットの取り扱いが容易になる。
【０００８】
また、本発明の遊技盤ユニットは、遊技盤本体の前面部に遊技領域を構成する各種遊技部品を取り付けるとともに、前記遊技盤本体の裏面部に各種部品及び部材を取り付けて構成される遊技盤と、前記各種部品及び部材を覆うようにして前記遊技盤本体の裏面部に取着される遊技盤裏面側保護ケース部材とからなる遊技盤ユニットにおいて、前記遊技盤裏側保護ケース部材に、手の指が数本入る取手孔を設け、該取手孔に手の指を数本入れて当該遊技盤ユニットを持ち上げ可能にすると共に、前記各種部品及び部材に対して前記取手孔に挿入した指が接触するのを防止する保護カバー部を前記各種部品及び部材側に設けたことを特徴とする。
【０００９】
本発明によると、遊技盤本体の裏面部に取着される遊技盤裏面側保護ケース部材に取手孔を設けるようにしたため、遊技領域の拡大化に伴い遊技盤本体に取手孔を設ける場所が無くなっても、取手孔を確保できるようになり、遊技盤ユニットの取り扱いが容易になる。さらに、本発明によると、遊技盤裏面側保護ケース部材に取手孔を設けたことに伴い、取手孔に挿入した指が、遊技盤の裏面部に取り付けられた各種部品及び部材例えば配線、回路基板等に接触するおそれが生じるが、保護カバー部を設けたため、取手孔に挿入した指が配線、回路基板等に接触しなくなり、配線、回路基板等を保護することができると共に、指のけがを防止することができる。
【００１０】
また、本発明の遊技盤ユニットは、遊技盤本体の前面部に遊技領域を構成する各種遊技部品を取り付けるとともに、前記遊技盤本体の裏面部に図柄表示装置を支持するセンター部材を取り付け、かつ、前記遊技盤本体の裏面部に各種部品及び部材を取り付けて構成される遊技盤と、前記センター部材並びに前記各種部品及び部材を覆うようにして前記遊技盤本体の裏面部に取着される遊技盤裏面側保護ケース部材とからなる遊技盤ユニットにおいて、前記遊技盤裏側保護ケース部材に、手の指が数本入る取手孔を設け、該取手孔に手の指を数本入れて当該遊技盤ユニットを持ち上げ可能にすると共に、前記各種部品及び部材に対して前記取手孔に挿入した指が接触するのを防止する保護カバー部を前記センター部材に設けたことを特徴とする。
【００１１】
本発明によると、遊技盤本体の裏面部に取着される遊技盤裏面側保護ケース部材に取手孔を設けるようにしたため、遊技領域の拡大化に伴い遊技盤本体に取手孔を設ける場所が無くなっても、取手孔を確保できるようになり、遊技盤ユニットの取り扱いが容易になる。さらに、本発明によると、遊技盤裏面側保護ケース部材に取手孔を設けたことに伴い、取手孔に挿入した指が、遊技盤本体の裏面部に取り付けられた各種部品及び部材例えば配線、回路基板等に接触するおそれが生じるが、センター部材に保護カバー部を設けたため、取手孔に挿入した指が配線、回路基板等に接触しなくなり、配線、回路基板等を保護することができると共に、指のけがを防止することができる。
【発明を実施するための最良の形態】
【００１２】
以下、本発明の実施形態を図面に基づいて説明する。
【００１３】
図１は、本発明の第１実施形態に係る遊技盤ユニットの分解斜視図、図２は、同遊技盤ユニットの背面図、図３は、同遊技盤ユニットの断面図、図４は、遊技盤裏面側保護ケース部材の部分斜視図、図５は、第２実施形態に係る遊技盤ユニットの背面図、図６は、同遊技盤ユニットから遊技盤裏面側保護ケース部材を取り外した状態の斜視図、図７は、図６図示の遊技盤ユニットの背面図をそれぞれ示す。
【００１４】
図１〜図４に示す第１実施形態に係る遊技盤ユニット１００は、遊技盤２００と遊技盤裏面側保護ケース部材３００とから構成される。
【００１５】
遊技盤２００は遊技盤本体１を備える。
【００１６】
遊技盤本体１の前面部２には、図示しないが、遊技領域を構成する各種遊技部品、例えば、始動入賞口、大入賞口、普通入賞口、図柄表示装置の液晶表示画面等が配設される。
【００１７】
また、遊技盤本体１の中央部は大きくくり貫かれており、この貫通孔３の周縁部にセンター役物４が取着される。この貫通孔３は、遊技盤本体１の上端部５近くまで達している。
【００１８】
遊技盤本体１の裏面部６には、各種部品及び部材が取り付けられる。
【００１９】
遊技盤本体１の裏面部６には、貫通孔３を取り囲むように液晶ベース部材（センター部材）７がねじ止めされる。センター部材７には、各種配線の中継用コネクタ（図示せず）が実装された中継基板（図示せず）等が取り付けられる。また、センター部材７には、図柄表示装置（図示せず）を保持する保持部材（図示せず）がねじ止めされる。図１〜図３において、符号８は、センター部材７に設けられたリブを表しており、これらのリブ８にねじが螺着されてセンター部材７に保持部材がねじ止めされる。
【００２０】
センター役物４の裏面には、枠部材９がねじ止めされる。枠部材９は、中央部に図柄表示装置の表示画面を遊技盤２００の正面側に露出させるための貫通孔１０を有し、また、各種配線をクランプするための配線溝１１、中継基板（図示せず）の取付部１２、演出部材（図示せず）の駆動源としてのステップモータ（図示せず）の取付部１３等を備える。
【００２１】
遊技盤裏面側保護ケース部材３００は、遊技盤本体１の裏面部６に、上記各種部品及び部材４，７，９等を覆うようにしてねじ止めされる。保護ケース部材３００は、略筒形状をしており、後面に、蓋部材（図示せず）の回動軸を保持する軸受部１４と、蓋部材の係止爪を着脱可能に収容し、蓋部材をロック及びアンロックするための係止孔部１５が設けられている。なお、蓋部材は、図柄表示装置の後面側に位置し、図柄表示装置を保護する。
【００２２】
保護ケース部材３００の右側面には、ランプ制御基板（図示せず）が収納される基板収容部１６が設けられており、ランプ制御基板は、弾性係止爪片１７によって基板収容部１６に着脱可能に収納される。
【００２３】
保護ケース部材３００の上部かつ後面部には、取手孔１８が形成されている。取手孔１８は、手の指が数本入り、遊技盤ユニット１００を持ち上げることが可能なように形成されている。センター部材７の上端部には、保護カバー部１９が後方の取手孔１８近傍まで延びて形成されている。保護カバー部１９は、センター役物４の上端部の上方に近接配置され、取手孔１８に挿入した指が下方のセンター役物４や枠部材９等の上端部と接触するのを阻止できるよう構成されている。換言すると、保護カバー部１９は、取手孔１８に挿入した指が枠部材９等の各種配線及び回路基板等と接触しないよう構成されている。このため、各種配線及び回路基板等を指から保護することができると共に、指をけがから護ることができる。
【００２４】
図５〜図７に示す第２実施形態に係る遊技盤ユニット１００は、第１実施形態に係る遊技盤ユニット１００を構成要素とするパチンコ遊技機とは異なる機種のパチンコ遊技機の遊技盤ユニットであり、したがって、遊技盤本体１の前面部２の構成、並びに、センター役物４、センター部材７、枠部材９等の構成において第１実施形態に係る遊技盤ユニット１００と異なっている。
【００２５】
ただし、保護ケース部材３００については、第１実施形態に係る遊技盤ユニット１００に用いた保護ケース部材３００と同一の保護ケース部材３００を用いており、図中の符号１４〜１８は、図１〜図４に示した同一符号と同じものを表している。
【００２６】
また、センター部材７の上端部には、第１実施形態の保護カバー部１９と同様な作用を発揮する保護カバー部１９が延設されている。この保護カバー部１９は、センター役物４や枠部材９の形状に応じて形成されており、第１実施形態と同様、後方の取手孔１８近傍まで延びて形成されている。第１実施形態と同様、保護カバー部１９は、センター役物４の上端部の上方に近接配置され、取手孔１８に挿入した指が下方のセンター役物４や枠部材９等の上端部と接触するのを阻止できるよう構成されている。換言すると、保護カバー部１９は、取手孔１８に挿入した指が枠部材９等の各種配線及び回路基板等と接触しないよう構成されている。このため、各種配線及び回路基板等を指から保護することができると共に、指をけがから護ることができる。
【００２７】
以上説明したように、本実施形態に係る遊技盤ユニット１００は、遊技盤本体１の裏面部６に取着される遊技盤裏面側保護ケース部材３００に取手孔１８を設けるようにした。このため、遊技領域の拡大化に伴い遊技盤本体１に取手孔１８を設ける場所が無くなっても、取手孔１８を確保できるようになり、遊技盤ユニット１００の取り扱いが容易になる。
【００２８】
また、保護ケース部材３００に取手孔１８を設けたことに伴い、取手孔１８に挿入した指が、遊技盤本体１の裏面部６に取り付けられた各種部品及び部材例えば配線、回路基板等に接触するおそれが生じるが、センター部材７（各種部品及び部材側）に保護カバー部１９を設けたため、取手孔１８に挿入した指が配線、回路基板等に接触しなくなり、配線、回路基板等を保護することができると共に、指のけがを防止することができる。ここで、保護カバー部１９は、センター役物４や枠部材９の形状に応じて形成し、しかも、保護ケース部材３００の取手孔１８の位置に応じて形成するようにすると、パチンコ遊技機の機種を問わず、保護ケース部材３００の共通化を図ることができ、製造コストの低減を図ることができる。
【図面の簡単な説明】
【００２９】
【図１】本発明の第１実施形態に係る遊技盤ユニットの分解斜視図である。
【図２】同遊技盤ユニットの背面図である。
【図３】同遊技盤ユニットの断面図である。
【図４】遊技盤裏面側保護ケース部材の部分斜視図である。
【図５】第２実施形態に係る遊技盤ユニットの背面図である。
【図６】同遊技盤ユニットから遊技盤裏面側保護ケース部材を取り外した状態の斜視図である。
【図７】図６図示の遊技盤ユニットの背面図である。
【符号の説明】
【００３０】
１    遊技盤本体
２    遊技盤本体の前面部
６    遊技盤本体の裏面部
７    センター部材
１８    取手孔
１９    保護カバー部
１００    遊技盤ユニット
２００    遊技盤
３００    遊技盤裏面側保護ケース部材
【図１】
2006346265.tif 000003
【図２】
2006346265.tif 000004
【図３】
2006346265.tif 000005
【図４】
2006346265.tif 000006
【図５】
2006346265.tif 000007
【図６】
2006346265.tif 000008
【図７】
2006346265.tif 000009